(57)【特許請求の範囲】
【請求項１】
遊技板に前面より視認可能に設置された表示器に図柄を可変表示して停止し、その停止した図柄が揃うことにより、遊技者に有利な遊技状況を発生する遊技機の画像表示装置において、複数の図柄を有する通常リールおよび複数のシルエットを有するシルエットリールを格納したメモリと、遊技開始情報によりメモリから通常リールを抽出して複数の図柄を表示器に可変表示する図柄表示手段と、リーチ情報によりメモリからシルエットリールを抽出して上記通常リールによる図柄のうちで最後に停止する最終停止図柄に代えてシルエットを表示器に表示するリーチ図柄停止手段とを備えたことを特徴とする遊技機の画像表示装置。
【請求項２】
遊技板に前面より視認可能に設置された表示器に図柄を可変表示して停止し、その停止した図柄が揃うことにより、遊技者に有利な遊技状況を発生する遊技機の画像表示装置において、複数の図柄を有する通常リール、複数のシルエットを有するシルエットリールおよび複数のシルエットそれぞれに対応する図柄を有するシルエット差し替えリールを格納したメモリと、遊技開始情報によりメモリから通常リールを抽出して複数の図柄を表示器に可変表示する図柄表示手段と、リーチ情報によりメモリからシルエットリールおよびシルエット差し替えリールを抽出して上記通常リールによる図柄のうちで最後に停止する最終停止図柄に代えてシルエットを表示器に表示した後にそのシルエットを差し替えリール中の図柄に差し替えて表示器に停止して表示するリーチ図柄停止手段とを備えたことを特徴とする遊技機の画像表示装置。
【請求項３】
大当たり情報によりリーチ時の最終停止図柄をその図柄と対応する通常リールによる図柄に差し替える大当たり図柄手段を備えたことを特徴とする請求項１または請求項２のいずれかに記載の遊技機の画像表示装置。
【発明の詳細な説明】
【０００１】
【産業上の利用分野】
この発明は、遊技者に有利な大当り遊技の可能な、パチンコ機、アレパチ機、アレンジボール、スロットマシンなどの遊技機において、遊技状況に応じた図柄を遊技板の前面に設けられた表示器に可変表示する画像表示装置に関する。
【０００２】
【従来の技術】
遊技機の中には、遊技開始情報により遊技板に設けられた表示器に図柄を３行３列の９区分、３行２列の６区分、２行３列の６区分、３行１列の３区分または１行３列の３区分などの配置を以てあたかも回転しているように可変表示し、図柄を所定時間の経過後に各行間または各列間に数秒程度の時間差を以て順に停止し、残りの行が停止する以前に、既に停止した図柄が一列方向または一行方向または斜め方向などの特定方向で２個揃うとリーチ状態となり、残りの行または列の図柄が停止して全部の図柄が揃うことにより、遊技者に有利な遊技状況としての大当たりを発生するようしたものが知られている。
【０００３】
【発明が解決しようとする課題】
しかし、上記従来の遊技機にあっては、表示器に図柄の形態が固定された十数種類の図柄を一連としてあたかも回転しているように可変表示して停止し、リーチ状態となると、例えばリーチ状態のきっかけとなった既に停止した２個の図柄を枠で囲んだり、残りの行の図柄の可変速度を変化させるとか、図柄の背景を変化させるなどして、リーチ状態を遊技者に知らせているが、リーチ状態から大当たり発生までの図柄に変化が少なく、期待感に乏しく、視覚に訴える遊技性にかける問題を内在する。
【０００４】
そこで、この発明はリーチ時にシルエット図柄を用いて、リーチ状態から大当たり発生までの図柄に変化を持たせ、期待感を高め、視覚による遊技性を向上できる遊技機の画像表示装置を提供しようとするものである。
【０００５】
【課題を解決するための手段】
請求項１の発明は、メモリ、図柄表示手段およびリーチ図柄停止手段を備え、メモリが複数の図柄を有する通常リールおよび複数のシルエットを有するシルエットリールを格納し、図柄表示手段が遊技開始情報によりメモリから通常リールを抽出して複数の図柄を表示器に可変表示し、リーチ図柄停止手段がリーチ情報によりメモリからシルエットリールを抽出して上記通常リールによる図柄のうちで最後に停止する最終停止図柄に代えてシルエットを表示器に表示する構成である。
請求項２の発明は、メモリ、図柄表示手段およびリーチ図柄停止手段を備え、メモリが複数の図柄を有する通常リール、複数のシルエットを有するシルエットリール、および複数のシルエットそれぞれに対応する図柄を有するシルエット差し替えリールを格納しており、図柄表示手段が遊技開始情報によりメモリから通常リールを抽出して複数の図柄を表示器に可変表示し、リーチ図柄停止手段がリーチ情報によりメモリからシルエットリールおよびシルエット差し替えリールを抽出して上記通常リールによる図柄のうちで最後に停止する図柄に代えてシルエットを表示器に表示した後にそのシルエットを差し替えリール中の図柄に差し替えて表示器に停止して表示する構成である。
請求項３の発明は、上記メモリ、図柄表示手段およびリーチ図柄停止手段に加えて、大当たり図柄手段を備え、大当たり図柄手段が大当たり情報によりリーチ時の最終停止図柄をその図柄と対応する通常リールによる図柄に差し替える構成である。
【０００６】
【作用】
請求項１の発明によれば、遊技開始情報により通常リール中の複数の図柄が表示器に可変表示され、リーチ情報により最後に停止する図柄がシルエットに差し替えられるから、リーチ状態から大当たり発生までの図柄が変化に富んで変わる。
請求項２の発明によれば、遊技開始情報により通常リール中の複数の図柄が表示器に可変表示され、リーチ情報により最後に停止する図柄がシルエットを経てシルエット差し替えリール中の図柄に差し替えられるから、リーチ状態から大当たり発生までの図柄が変化に富んで変わる。
請求項３の発明によれば、大当たりが発生すると、シルエット差し替えリール中の図柄が通常リール中の図柄に差し替えられるから、大当たり発生時の図柄が変化に富んで変わる。
【０００７】
【実施例】
以下、この発明の実施例を図面とともに同一部分に同一符号を付して詳述する。
図１は実施例１としてのパチンコ機の画像表示装置を示す構成図、図２は実施例１の通常リールを示す図、図３は実施例１の通常リールの一部を拡大して示す図、図４は実施例１のシルエットリールを示す図、図５は実施例１のシルエット差し替えリールを示す図、図６は実施例１のノーマルリーチでの表示器の表示画面の変化の過程を示す図、図７は実施例１のスーパーリーチでの表示器の表示画面の変化の過程を示す図、図８は実施例２のスーパーリーチでの表示器の表示画面の変化の過程を示す図、図９は実施例３のスーパーリーチでの表示器の表示画面の変化の過程を示す図である。
【０００８】
図１において、１は大当り発生のきっかけを作る始動口、２は始動口１に図外の遊技球が入賞することにより遊技者に有利な大当り動作を開始する例えばアタッカや電動チューリップなどのような役物、３はコンピュータグラフィックのモーヒング方式を用いた画像表示装置であって、これは制御装置４、表示器５およびメモリ６を有し、制御装置４はメモリ６に予め設定されたプログラムにしたがって動作するマイクロコンピュータに構成されているとともにパチンコ機の図外の遊技板に通常設定される図外のランプ類の点滅および役物２の動作を制御する遊技制御部と別体に構成するかまたは遊技制御部と一体に構成され、この制御装置４が始動口１に設けた図外の検知器からの出力信号を遊技球の入賞を表す遊技開始情報として受け取ることにより、スクロール情報、外れ情報、ノーマルリーチ情報、スーパーリーチ情報、大当たり情報および確率変動情報などの各種の遊技情報を発生し、制御装置４中の図柄表示手段４ａがスクロール情報によりメモリ６に格納された通常リール７を抽出して一連に組み合わされた複数の図柄７ａ，７ｂ，……，７ｎを３組ごと表示器５に３行３列の９区分、３行２列の６区分、２行３列の６区分、３行１列の３区分または１行３列の３区分などの配置を以てあたかも回転しているように可変表示し、その可変表示の開始から所定時間の経過後に、制御装置４中の外れ図柄停止手段４ｂおよびノーマルリーチ図柄停止手段４ｃのうちのいずれかが複数組の停止予定図柄７ａ〜７ｎのうちのいずれかを３組ごとに数秒程度の時間差を以て停止して表示器５に表示するか、または制御装置４中のスーパーリーチ図柄停止手段４ｄがスーパーリーチ情報によりメモリ６に格納されたシルエットリール８およびシルエット差し替えリール９を抽出して通常リール７による図柄のうちで最後に停止する最終停止図柄に代えてシルエットリール８中のシルエット８ａ〜８ｎのうちの一つを表示器５に表示した後にそのシルエットをそれと対応するシルエット差し替えリール９中の図柄９ａ〜９ｎのうちの一つに差し替えて表示器５に停止して表示し、そして、制御装置４中の大当たり図柄停止手段４ｅが上記停止した３つの図柄が特定方向で例えば同一のように予め設定された組み合わせに揃う大当たり情報により、スーパーリーチ時の最終停止図柄をその図柄と対応する通常リール７による図柄に差し替える一方、制御装置４が役物２を大当り動作して遊技者に有利な遊技状況を発生する。
【０００９】
始動口１および表示器５は図外の前面にデザイン図の描かれたほぼ方形な遊技板の前面に取り付けられ、制御装置４およびメモリ６は遊技板の裏面に取り付けられ、スクロール情報は遊技開始情報により３組の通常リール７中の複数の図柄７ａ，７ｂ，……，７ｎを３組ごと表示器５にあたかも回転しているように可変表示するための信号であり、外れ情報は表示器５に可変表示された図柄の停止する以前に乱数を用いて３つの図柄のうちの一つ以上が異なる図柄となる組み合わせ停止の決定を表すための信号であり、ノーマルリーチ情報およびスーパーリーチ情報は表示器５に可変表示された図柄の停止する以前に乱数を用いて３つの図柄のうちの先に停止する２つの図柄が同一となる組み合わせ停止の決定を表すための信号であって、スーパーリーチ情報はノーマルリーチ情報よりもリーチ状態から大当たりになる確率を高く設定した信号であり、大当たり情報は表示器５に可変表示された図柄の停止する以前に乱数を用いて３つの図柄の全部が同一となる図柄組み合わせ停止の決定を表すための信号であり、確率変動情報は制御装置４が表示器５に可変表示された図柄の停止する以前に大当たりの決定にもとづく同一図柄が予め設定された例えば「７」のような確率変動図柄の場合に発生されるための信号であって、この確率変動情報が発生すると、次回の始動口１への遊技球の入賞により可変表示された図柄が停止するときに全部の図柄が同一図柄に揃いやすくなるなどのように、遊技者にとって有利な遊技状況となる高確率状態が或る時間だけ設定される。
【００１０】
通常リール７について、図２を用いて詳述すると、通常リール７は図２のａ図の右端がｂ図の左端に接続し、ｂ図の右端がｃ図の左端に接続し、ｃ図の右端がｄ図の左端に接続し、ｄ図の右端がｅ図の左端に接続し、ｅ図の右端がａ図の左端に接続する、一連の図柄リールを構成し、通常リール７の下部には算用数字の「１」〜「１５」からなる主図柄を有し、上部には世界各地の民族衣装を身につけた娘を表現した従図柄を有する。
【００１１】
主図柄では、図２のａ図の左側から第１番目の主停止予定図柄１０ａが算用数字の「１」を表し、第２番目の主停止予定図柄１０ｂが算用数字の「２」を表し、第３番目の主停止予定図柄１０ｃが算用数字の「３」を表し、ｂ図の左側から第１番目の主停止予定図柄１０ｄが算用数字の「４」を表し、第２番目の主停止予定図柄１０ｅが算用数字の「５」を表し、第３番目の主停止予定図柄１０ｆが算用数字の「６」を表し、ｃ図の左側から第１番目の主停止予定図柄１０ｇが算用数字の「７」を表し、第２番目の主停止予定図柄１０ｈが算用数字の「８」を表し、第３番目の主停止予定図柄１０ｉが算用数字の「９」を表し、ｄ図の左側から第１番目の主停止予定図柄１０ｊが算用数字の「１０」を表し、第２番目の主停止予定図柄１０ｋが算用数字の「１１」を表し、第３番目の主停止予定図柄１０ｍが算用数字の「１２」を表し、ｅ図の左側から第１番目の主停止予定図柄１０ｎが算用数字の「１３」を表し、第２番目の主停止予定図柄１０ｐが算用数字の「１４」を表し、第３番目の主停止予定図柄１０ｑが算用数字の「１５」を表している。
【００１２】
従図柄では、図２のａ図の左側から第１番目の従停止予定図柄１１ａはアメリカの民族衣装を身につけたアメリカ娘を表し、第２番目の従停止予定図柄１１ｂはハワイの民族衣装を身につけたハワイ娘を表し、第３番目の従停止予定図柄１１ｃは日本の民族衣装を身につけた日本娘を表し、ｂ図の左側から第１番目の従停止予定図柄１１ｄはカリブ海地方の民族衣装を身につけたカリブ娘を表し、第２番目の従停止予定図柄１１ｅは中国の民族衣装を身につけた中国娘を表し、第３番目の従停止予定図柄１１ｆはバリ島の民族衣装を身につけたバリ島娘を表し、ｃ図の左側から第１番目の従停止予定図柄１１ｇは韓国の民族衣装を身につけた韓国娘を表し、第２番目の従停止予定図柄１１ｈはイギリスの民族衣装を身につけたイギリス娘を表し、第３番目の従停止予定図柄１１ｉはブラジルの民族衣装を身につけたブラジル娘を表し、ｄ図の左側から第１番目の従停止予定図柄１１ｊはスイスの民族衣装を身につけたスイス娘を表し、第２番目の従停止予定図柄１１ｋはタヒチ島の民族衣装を身につけたタヒチ娘を表し、第３番目の従停止予定図柄１１ｍはタイの民族衣装を身につけたタイ娘を表し、ｅ図の左側から第１番目の従停止予定図柄１１ｎはスペインの民族衣装を身につけたスペイン娘を表し、第２番目の従停止予定図柄１１ｐはインディアンの民族衣装を身につけたインディアン娘を表し、第３番目の従停止予定図柄１１ｑはインドの民族衣装を身につけたインド娘を表したものである。
【００１３】
また、図２において、各主停止予定図柄１０ａ〜１０ｑ間、各従停止予定図柄１１ａ〜１１ｑ間それぞれには、図柄の変化方向に隣接する一方の停止予定図柄から他方の停止予定図柄までに変化する過程を表現する複数の主変化図柄１２ａ〜１２ｑおよび複数の従変化図柄１３ａ〜１３ｑを有している。
【００１４】
主変化図柄１２ａ〜１２ｑについて、例えば図２のａ図における主停止予定図柄１０ａと主停止予定図柄１０ｂとの間、および従停止予定図柄１１ａと従停止予定図柄１１ｂとの間を抽出拡大して図３に図示して説明すると、図柄の変化方向を主停止予定図柄１０ａから主停止予定図柄１０ｂへの方向と決め、主停止予定図柄１０ａと主停止予定図柄１０ｂとの間に主停止予定図柄１０ａである算用数字の「１」から主停止予定図柄１０ｂである算用数字の「２」への変化の過程を徐々に表現する複数の主変化図柄１２ａ−１，１２ａ−２，１２ａ−３を有し、従停止予定図柄１１ａと従停止予定図柄１１ｂとの間に従停止予定図柄１１ａであるアメリカ娘から従停止予定図柄１１ｂであるハワイ娘への変化の過程を徐々に表現する複数の従変化図柄１３ａ−１，１３ａ−２，１３ａ−３を有し、主変化図柄１２ａ−１は算用数字の「１」の下部を除く部分ａの上に算用数字の「２」の下横辺ｂが現れた状態、主変化図柄１２ａ−２は算用数字の「１」の頭部ｅの上に算用数字の「２」の下半分ｆが現れた状態、主変化図柄１２ａ−３は算用数字の「１」の最頭部ｇの上に算用数字の「２」の頭部を除く部分ｈが現れた状態であり、従変化図柄１３ａ−１はアメリカの民族衣装の色彩にぼかしを入れた状態、従変化図柄１３ａ−２はアメリカの民族衣装およびハワイの民族衣装の色彩にぼかしを入れて合成した状態、従変化図柄１３ａ−３はハワイの民族衣装の色彩にぼかしを入れた状態であり、主停止予定図柄１０ａ，１０ｂおよび主変化図柄１２ａ−１〜１２ａ−３は赤色であり、主停止予定図柄１０ａ，１０ｂおよび主変化図柄１２ａ−１〜１２ａ−３における三角形の斜線部分は緑色であり、主停止予定図柄１０ａ，１０ｂおよび主変化図柄１２ａ−１〜１２ａ−３における枠ｄは青色になっている。
【００１５】
シルエットリール８について、図４を用いて詳述すると、シルエットリール８は通常リール７における従停止予定図柄１１ａ〜１１ｑと相似形で小さな外形からなる複数のシルエット１４ａ〜１４ｑを有する。
【００１６】
シルエット差し替えリール９について、図５を用いて詳述すると、シルエット差し替えリール９はシルエットリール８におけるシルエット１４ａ〜１４ｑと合同形で通常リール７における従停止予定図柄１１ａ〜１１ｑと同様の鮮明な色彩の施された複数の差し替え図柄１５ａ〜１５ｑを有する。
【００１７】
したがって、この実施例によれば、図外の電源が投入され、制御装置４が起動して遊技の可能な状態となり、その状態において、遊技者が図外の上皿セットに遊技球を入れて図外の発射装置を操作して遊技球を弾き、その弾かれた遊技球が図外の遊技板の遊技領域に導かれて始動口１に入賞すると、その入賞を表す遊技開始情報により、制御装置４の図柄表示手段４ａが３組の通常リール７を表示器５に例えば横方向に３行配置してあたかも回転しているように可変表示し、制御装置４が遊技開始情報に起因して発生した外れ情報、ノーマルリーチ情報、スーパーリーチ情報、大当たり情報に基づき、可変表示の開始から所定の経過時間後に、外れ図柄停止手段４ｂ、ノーマルリーチ図柄停止手段４ｃ、スーパーリーチ図柄停止手段４ｄおよび大当たり図柄停止手段４ｅが３組の通常リール７間に数秒程度の時間差を以て順に停止して表示する。
【００１８】
ここで、スクロール情報からノーマルリーチ情報を経た大当たり情報までの可変表示の過程を図６を用いて詳述する。まず、スクロール情報により、表示器５には第１行目から第３行目のそれぞれの行について通常リール７の下段に位置する数字の「１」〜「１５」からなる主停止予定図柄１０ａ〜１０ｑおよび主変化図柄１２ａ〜１２ｑと上段に位置する「世界各地の民族衣装を身につけた娘」からなる従停止予定図柄１１ａ〜１１ｑおよび従変化図柄１３ａ〜１３ｑがあたかも回転しているように可変表示されており、その後、予め定められた時間が経過すると、ノーマルリーチ図柄停止手段４ｃの働きにより、主従停止予定図柄１０ａ〜１０ｑ，１１ａ〜１１ｑおよび主従変化図柄１２ａ〜１２ｑ，１３ａ〜１３ｑが各行間に数秒程度の時間差を以て、例えば第１行目および第３行目の順に停止し、残りの行としての第２行目の主従停止予定図柄１０ａ〜１０ｑ，１１ａ〜１１ｑおよび主従変化図柄１２ａ〜１２ｑ，１３ａ〜１３ｑが停止する以前に、それまでに停止した第１行目および第３行目の主従停止予定図柄１０ａ〜１０ｑ，１１ａ〜１１ｑが２つ揃ったリーチ状態となる。
【００１９】
つまり、図６のステップ６０１では、第１行目および第３行目に算用数字の「２」と「ハワイ娘」からなる色彩と形状の鮮明な主従停止予定図柄１０ｂ，１１ｂが停止表示され、第２行目では算用数字の「１」と「アメリカ娘」からなる色彩と形状の鮮明な主従停止予定図柄１０ａ，１１ａの可変速度が遅くなり、第１行目〜第３行目の主停止予定図柄１０ａ，１０ｂの周囲が赤色の背景画で覆われ、第１行目〜第３行目の従停止予定図柄１１ａ，１１ｂが黄色のスーテジａの上に立ち、その背景画として上部から下部に徐々に色が薄くなる青色の海ｂが描かれ、第１行目〜第３行目の従停止予定図柄１１ａ，１１ｂの下部前面に「リーチ」なる赤色文字および文字の周囲に青色の縁取りｃが描かれる。
【００２０】
引き続き、大当たり図柄停止手段４ｅの働きにより、ステップ６０２では、第２行目に算用数字の「１」の下部を除く部分の上に算用数字の「２」の下横辺が現れた主変化図柄１２ａ−１およびアメリカの民族衣装の色彩のぼかされたアメリカ娘の従変化図柄１３ａ−１がゆっくりと可変表示され、従変化図柄１３ａ−１のウエストのまわりに橙色の太陽ｄが海ｂの背景画の中に描かれ、ステップ６０３では、第２行目に算用数字の「１」の頭部の上に算用数字の「２」の下半分が現れた主変化図柄１２ａ−２およびアメリカの民族衣装およびハワイの民族衣装の色彩のぼかされたアメリカ娘とハワイ娘の合成された従変化図柄１３ａ−２がゆっくりと可変表示され、従変化図柄１３ａ−２の橙色の太陽ｄのまわりに赤みがかった橙色の輪郭ｅが描かれ、ステップ６０４では、第２行目に算用数字の「１」の最頭部の上に算用数字の「２」の頭部を除く部分が現れた主変化図柄１２ａ−３およびハワイの民族衣装の色彩のぼかされたハワイ娘の従変化図柄１３ａ−３がゆっくりと可変表示され、太陽ｄおよび輪郭ｅの外形が大きくなるととともに太陽ｄの中心に黄金色の太陽中心ｆが描かれ、ステップ６０５では、太陽の消えた青色の海の背景画で第２行目に算用数字の「２」と「ハワイ娘」からなる色彩と形状の鮮明な主従停止予定図柄１０ｂ，１１ｂが停止表示されて第１行目〜第３行目の３つの図柄が全部揃った大当たりを表現する状態となり、ステップ６０６では第１行目〜第３行目の算用数字の「２」と「ハワイ娘」からなる色彩と形状の鮮明な主従停止予定図柄１０ｂ，１１ｂの前面に「ＣＯＮＧＲＡＴＵＬＡＴＩＯＮ」なるよろこびを表す文字が描かれ、スクロール情報からノーマルリーチ情報を経て大当たり情報までの可変表示の１サイクルが終わる。
【００２１】
次に、スクロール情報からスーパーリーチ情報を経た大当たり情報までの可変表示の過程を図７を用いて詳述する。スーパーリーチはノーマルリーチに比べ大当たりになる確率が高いので、スーパーリーチ図柄停止手段４ｄの働きにより、図６のステップ６０１〜６０４を経過した段階で、図７のステップ７０１およびステップ７０２に示すように、太陽の消えた青色の海ｂの背景画の部分に赤色の幕ｇが上から徐々に降り、ステップ７０３では幕ｇが完全に下がるとともに第２行目にハワイ娘の従停止予定図柄１１ｂと対応するシルエットリール８中のシルエット１４ｂが表示され、ステップ７０４ではシルエット１４ｂが消え、ステップ７０５およびステップ７０６では幕ｇが徐々に上がるとともにシルエット差し替えリール９中の差し替え図柄１５ｂとなった後、図６のステップ６０５およびステップ６０６を経て、スクロール情報からスーパーリーチ情報を経た大当たり情報までの可変表示の１サイクルが終わる。
【００２２】
要するに、この実施例によれば、図７に示すように、スーパーリーチ状態から図柄の組み合わせが予め設定された組み合わせに揃う大当たり発生までの間に、背景画としての幕ｇを表示し、その幕ｇが下がりきったら、可変している通常リール７中の図柄つまり従変化図柄１３ａ−３をシルエットリール８中のシルエット１４ｂに代えて幕ｇ中に表示した後にシルエット１４ｂを消し、幕ｇを上げるとともに、その上がる幕ｇの間からシルエット差し替えリール９中の差し替え図柄１５ｂを表示して幕ｇが上がりきるというように、最後に停止する図柄が形態および色彩に変化を持たせて表示されて遊技者に期待感を与え、結果として、視覚による遊技性を向上することができる。
【００２３】
また、実施例によれば、図７のステップ７０７から図６のステップ６０５に示すように、大当たりの発生により、シルエット差し替えリール９中の差し替え図柄１５ｂをその差し替え図柄１５ｂより大形な通常リール７中の従停止予定図柄１１ｂに代えて表示するから、大当たり発生時の図柄が変化に富んだものとなり、しかも、図６のステップ６０６に示すように、「ＣＯＮＧＲＡＴＵＬＡＴＩＯＮ」なるよろこびを表す文字を表示して、大当たり発生時の喜びを遊技者に伝え、視覚による遊技性を向上することができる。
【００２４】
また、実施例１によれば、通常リール７が図２に示すように各主停止予定図柄１０ａ〜１０ｑ間および従停止予定図柄１１ａ〜１１ｑ間それぞれに、主変化図柄１２ａ〜１２ｑおよび従変化図柄１３ａ〜１３ｑを有しているので、表示器５にあたかも回転しているように可変表示された通常リール７が停止するときに、例えば図３に示す主停止予定図柄１０ｂおよび従停止予定図柄１１ｂが表示器５に停止して表示されるとき、その停止する主停止予定図柄１０ｂおよび従停止予定図柄１１ｂの一つ前の主停止予定図柄１０ａおよび従停止予定図柄１１ａから主変化図柄１２ａ−１〜１２ａ−３および従変化図柄１３ａ−１〜１３ａ−３までが表示器５に時々刻々と可変して表示され、最後に主停止予定図柄１０ｂおよび従停止予定図柄１１ｂが表示器５に停止して表示される。しかも、表示器５に図柄が停止して表示されるときは、図柄の可変速度はあたかも回転しているように可変表示されているときの可変速度よりも低速となるから、主変化図柄１２ａ−１〜１２ａ−３および従変化図柄１３ａ−１〜１３ａ−３によって、主停止予定図柄１０ａおよび従停止予定図柄１１ａから主停止予定図柄１０ｂおよび従停止予定図柄１１ｂまでの変化の過程がゆっくりと滑らかに表現され、結果として、視覚による遊技性を向上することができる。
【００２５】
実施例では、スーパーリーチ情報により幕ｇの上がり下がりを背景画に使用した場合を図示して説明したが、図８に示すように背景画にスポットライトｈを採用したり、または図９に示すようにスポットライトｈに加えエスコートｉを登場させて、より一層の変化を持たせる上記とは異なる実施例の適用も考えられる。
【００２６】
図８の実施例２では、図６のステップ６０４に引き続き、ステップ８０１に示すように、赤色の幕ｇが下がりきったら、第２行目にシルエットリール８中のシルエット１４ｑが可変表示されているているとともに第１行目および第３行目から第２行目に向けて二筋のスポットライトｈを幕ｇの中に描き、ステップ８０２では第２行目にシルエット１４ａを表示するとともにスポットライトｈを動かし、ステップ８０３ではシルエット１４ａを消すとともにスポットライトｈを交差させ、ステップ８０４では第２行目にシルエット１４ｂを登場させて停止するとともにスポットライトｈを動かし、ステップ８０５ではシルエット１４ｂおよびスポットライトｈを消した後に、図６のステップ６０５およびステップ６０６を経て、スクロール情報からスーパーリーチ情報を経た大当たり情報までの可変表示の１サイクルが終わる。つまり、この実施例２の場合は、スーパーリーチ情報により、最後に停止する図柄がシルエットとなるので、リーチ状態から大当たり発生までの図柄が形態および色彩に変化に富んで変わり、視覚による遊技性を向上できるうえ、メモリ６にシルエット差し替えリール９を格納しなくてもよく、また、制御装置４のスーパーリーチ図柄停止手段４ｄがメモリ６からシルエット差し替えリール９を抽出しそのシルエット差し替えリール９中の差し替え図柄１５ａ〜１５ｑをシルエット１４ａ〜１４ｑに代替表示する必要もなくなるので、メモリ６の容量を小さくすることが可能となり、コストダウンを図ることができる。
【００２７】
図９の実施例３では、図６のステップ６０４に引き続き、ステップ９０１に示すように、赤色の幕ｇが下がりきったら、第２行目にシルエットリール８中のシルエット１４ｂを表示するとともに第１行目および第３行目から第２行目に向けて二筋のスポットライトｈを幕ｇの中に描き、さらに、エスコートｉを主停止予定図柄１０ｂの間からシルエット１４ｂ側に登場させ、ステップ９０２ではシルエット１４ｂおよびスポットライトｈを消し、ステップ９０３では第２行目にシルエット差し替えリール９中の差し替え図柄１５ｂを停止表示するとともにその差し替え図柄１５ｂの下部前に「ＮＩＣＥ  ＬＡＤＹ！」の記された表示板ｊを停止表示した後に、図６のステップ６０５およびステップ６０６を経て、スクロール情報からスーパーリーチ情報を経た大当たり情報までの可変表示の１サイクルが終わる。
【００２８】
なお、図９のステップ９０４では、制御装置４がスーパーリーチ情報および外れ情報を発生したことから、外れ図柄停止手段４ａが第２行目に第１行目および第３行目とは異なる差し替え図柄１５ｃを停止表示するとともにその差し替え図柄１５ｃの下部前に「ＯＨ  ＭＹ  ＧＯＤ！！」の記された表示板ｋを停止表示してスーパーリーチから外れの１サイクルが終わる例を示している。
【００２９】
また、実施例では、始動口１を有するパチンコ機を図示して説明したが、上記遊技球の始動口１への入賞を表す検知器からの信号である遊技開始情報をメダルの投入を表す検知器からの信号と読み替えることによりスロットマシンにも適用可能となる。この場合、図１の始動口１および役物２は不要である。
【００３０】
なお、実施例では停止した図柄が同一図柄に揃うと遊技者に有利な遊技状況を発生する遊技を図示して説明したが、停止した図柄が同一でないが、その停止した図柄の組み合わせが予め設定された組み合わせになると遊技者に有利な遊技状況を発生する遊技にも適用できる。
【００３１】
また、実施例では図柄について主従の２種類を用いたが、主従のいずれか一方でも可能である。
【００３２】
さらに、実施例では通常リール７に主従変化図柄１２ａ〜１２ｑ，１３ａ〜１３ｑを有する場合を図示して説明したが、それらの主従変化図柄１２ａ〜１２ｑ，１３ａ〜１３ｑは通常リール７から省略することも可能であり、この場合には、図６のステップ６０２〜６０４、図７のステップ７０１〜７０２が無くなることは容易に理解できるであろう。
【００３３】
さらに、実施例ではスーパーリーチ時にシルエットを使用する場合を図示して説明したが、ノーマルリーチ時においてもシルエット１４ａ〜１４ｑを使用し、最後に停止する図柄を形態および色彩に変化を持たせて視覚に訴える遊技性を向上することもできる。この場合には、例えば図６のステップ６０４を経過した段階で、ノーマルリーチ図柄停止手段４ｃがハワイ娘の従停止予定図柄１１ｂと対応するシルエットリール８中のシルエット１４ｂを表示器５の第２行目に表示した後に、当該シルエット１４ｂに代えてシルエット差し替えリール９中の差し替え図柄１５ｂを表示器の第２行目に表示し、さらに、当該差し替え図柄１５ｂに代えて通常リール７中の従停止予定図柄１１ｂを図６のステップ６０５に示すように表示器５の第２行目に停止表示することにより、最後に停止する従停止予定図柄１１ｂの形態および色彩に、シルエット１４ｂおよびシルエット差し替え図柄１５ｂを用いて、変化を持たせることができる。
【００３４】
【発明の効果】
この発明によれば、次のような効果が有る。
請求項１によれば、リーチ情報により最後に停止する図柄がシルエットに差し替えられるから、リーチ状態から大当たり発生までの図柄が変化に富んで変わり、最後に停止する図柄を形態および色彩に変化を持たせて表示して遊技者に期待感を与えることができ、視覚に訴える遊技性を向上することができる。
請求項２によれば、リーチ情報により最後に停止する図柄がシルエットを経てシルエット差し替えリール中の図柄に差し替えられるから、リーチ状態から大当たり発生までの図柄が変化に富んで変わり、最後に停止する図柄を形態および色彩に変化を持たせて表示して遊技者に期待感を与えることができ、視覚に訴える遊技性を向上することができる。
請求項３によれば、大当たりが発生すると、シルエット差し替えリール中の図柄が通常リール中の図柄に差し替えられるから、大当たり発生時の図柄を変化に富んで変えて、視覚に訴える遊技性を向上することができる。
【図面の簡単な説明】
【図１】  実施例１の画像表示装置を示す構成図。
【図２】  実施例１の通常リールを示す図。
【図３】  図２の一部を拡大して示す図。
【図４】  実施例１のシルエットリールを示す図。
【図５】  実施例１のシルエット差し替えリールを示す図。
【図６】  実施例１のノーマルリーチでの表示器の表示画面の変化の過程を示す図。
【図７】  実施例１のスーパーリーチでの表示器の表示画面の変化の過程を示す図。
【図８】  実施例２のスーパーリーチでの表示器の表示画面の変化の過程を示す図。
【図９】  実施例３のスーパーリーチでの表示器の表示画面の変化の過程を示す図。
【符号の説明】
１  始動口
２  役物
３  画像表示装置
４  制御装置
５  表示器
６  メモリ
７  通常リール
８  シルエットリール
９  シルエット差し替えリール。
【図１】
0003754101.tif 000002
【図２】
0003754101.tif 000003
【図３】
0003754101.tif 000004
【図４】
0003754101.tif 000005
【図５】
0003754101.tif 000006
【図６】
0003754101.tif 000007
【図７】
0003754101.tif 000008
【図８】
0003754101.tif 000009
【図９】
0003754101.tif 000010